(57)【要約】  【課題】居住者自身でパネルの取付け・取外し、或いは表面クロスの張替えを行うことができる分割型の内装用パネル及びこれを用いたパネル内装構造を提供する。  【解決手段】角形の芯板材と、該芯板材の表側面に重ね合わされた軟質の中敷き材と、該中敷き材のほぼ全体を被覆するように、その外面に貼り合わされたカバークロスとからなり、前記中敷き材の四方の接合代を、前記芯板材の裏側面に折り込んで、接着剤又は係止部材により接合・固定してなる内装用パネル。このパネルの大きさは、短辺の長さが０．１５〜１ｍ、長辺の長さが０．１５〜２ｍの範囲内とする。室内壁面又は天井面に設置した掛止部１に、パネルに設置した掛止部２を嵌合して壁面を構成する。【選択図】図１
0003135532.tif 000002
【実用新案登録請求の範囲】
【請求項１】
室内の壁面及び／又は天井面の所定の範囲に敷き詰める内装用パネルであって、
角形の芯板材と、
該芯板材の一方の面に重ね合わされ、前記芯板材の形状に相似し該芯板材の他方の面に折り込むための糊代を備えた軟質の中敷き材と、
前記中敷き材の外面を被覆し、前記中敷き材とともに前記芯板材の他方の面に折り込むための糊代を備えたカバークロスと、
前記芯板材の他方の面に折り込まれた前記中敷き材と前記カバークロスとの糊代を前記他方の面に接合・固定する接着剤又は係止部材とを備え、
壁面又は天井面に設けられている掛止部１と嵌合する掛止部２が、前記他方の面内に設けられていることを特徴とする内装用パネル。
【請求項２】
前記芯板材が合成木板からなり、かつ前記中敷き材が発泡ポリウレタンシートであることを特徴とする請求項１に記載の内装用パネル。
【請求項３】
前記内装用パネルの短辺の長さが０．１５〜１ｍ、長辺の長さが０．１５〜２ｍの範囲内にある四角形であることを特徴とする請求項１又は２に記載の内装用パネル。
【請求項４】
前記芯板材と前記中敷き材との間及び／又は前記中敷き材と前記カバークロスとの間に、吸着物質が配されていることを特徴とする請求項１から３のいずれかに記載の内装用パネル。
【請求項５】
前記吸着物質がシックハウス原因物質の吸着シートであることを特徴とする請求項１から４のいずれかに記載の内装用パネル。
【請求項６】
請求項１から５のいずれかに記載の内装用パネルを室内壁面及び／又は天井面の所定の範囲に敷き詰めたパネル内装構造であって、
前記室内壁面及び／又は天井面には前記掛止部１が配置され、
前記内装用パネルの掛止部２が前記掛止部１に嵌合し構成されていることを特徴とするパネル内装構造。
【請求項７】
請求項６に記載のパネル内装構造において、敷き詰められた内装用パネルの少なくともひとつの端部に沿って、見切り材が設けられていることを特徴とするパネル内装構造。
【考案の詳細な説明】
【技術分野】
【０００１】
本考案は、住居、オフィス等の内装に用いる分割型のパネルに関し、特に壁面や天井面への取付けと模様替えが容易な室内の内装用パネル及びこれを用いたパネル内装構造に関する。
【背景技術】
【０００２】
住居やオフィスの壁面及び天井面の内装には種々の種類のものがあるが、壁面や天井面に内装用パネルを取り付ける内装方法も多く採用されている。この方法は、間仕切りの変更が容易なこと、パネルの製作費や取付費が比較的安価なこと、内装のリニューアルがし易いことなどの特徴がある。
【０００３】
例えば、下記特許文献１には、建築仕様の単位寸法で、交換できる紋織物の壁面パネルを上下又は左右或いは上下左右に繋ぎ合わせて壁面装飾を行う「交換できる紋織物の壁面パネル」が開示されている。このパネルの使用目的は、大型面積デザインの壁面織物装飾を交換できるようにすることと説明されている。
【０００４】
【特許文献１】特開平８−６０８３０号公報
【考案の開示】
【考案が解決しようとする課題】
【０００５】
しかし、従来の内装パネルはいずれも大型で、少なくとも畳一枚以上の大きさがある。そのため重く、柱への取付けにはボルトや釘を用いて強固に取り付ける必要が有った。
一般に、内装パネルは経時的な劣化や汚れのために所定期間での交換を要する。また、劣化していなくても、室内の雰囲気を変えるために、内装パネルの模様替えをしたい場合がある。しかし、従来の大型の内装パネルでは、取付け・取外しの施工を専門の内装業者に委託をせざるを得なかった。
【０００６】
また、内装パネルの模様替えには表面クロスの張替えを要するが、従来の内装パネルでは、居住者が自ら表面クロスの張替えを行うことは難しく、専門の内装業者に張替えを委託するか、新しい内装パネルを購入する必要があり、手軽に模様替えをすることができなかった。
【０００７】
そこで本考案は、専門の内装業者に委託することなく、居住者自身でパネルの取付け・取外し、或いは表面クロスの張替えを行うことができ、室内の模様替えを手軽に行うことのできる室内の内装用パネル、及びこれを用いたパネル内装構造を提供することを課題としている。
【課題を解決するための手段】
【０００８】
上記課題を解決するための本考案の内装用パネルは、室内の壁面及び／又は天井面の所定の範囲に敷き詰める内装用パネルであって、角形の芯板材と、該芯板材の一方の面に重ね合わされ、前記芯板材の形状に相似し該芯板材の他方の面に折り込むための糊代を備えた軟質の中敷き材と、前記中敷き材の外面を被覆し、前記中敷き材とともに前記芯板材の他方の面に折り込むための糊代を備えたカバークロスと、前記芯板材の他方の面に折り込まれた前記中敷き材と前記カバークロスとの糊代を前記他方の面に接合・固定する接着剤又は係止部材とを備え、壁面又は天井面に設けられている掛止部１と嵌合する掛止部２が、前記他方の面内に設けられていることを特徴とするものである。
掛止部２は、芯板材を壁面や天井面に敷き詰めたときに壁面や天井面に安定して固設される場所、例えば、芯板材の重心や四隅、或いは対角線上等にひとつ又は複数個設けることが好適である。
【０００９】
この内装用パネルは四角形が好適であり、その短辺の長さが０．１５〜１ｍ、長辺の長さが０．１５〜２ｍの範囲内であることが好ましい。
【００１０】
また、この内装用パネルにおいては、前記芯板材が合成木板からなり、かつ前記中敷き材が発泡ポリウレタンシートであることが好ましい。
【００１１】
さらに、この内装用パネルは、前記芯板材と前記中敷き材との間及び／又は前記中敷き材と前記カバークロスとの間に、シックハウス原因物質の吸着剤が含浸、塗布又は封入された吸着シートが配されているものであってもよい。
【００１２】
本考案のパネル内装構造は、前記内装用パネルを室内壁面及び／又は天井面の所定の範囲に敷き詰めたパネル内装構造であって、前記室内壁面及び／又は天井面には前記掛止部１が配置され、前記内装用パネルの掛止部２が前記掛止部１に嵌合し構成されていることを特徴とするものである。
壁面や天井面に内装用パネルを敷き詰める際に、隙間無く敷き詰めることは好適である。
【考案の効果】
【００１３】
本考案により、居住者自身でパネルの取付け・取外し、或いは表面クロスの張替えを行うことのできるパネルを提供することが可能となった。これにより、居住者が、専門の内装業者に委託することなく、簡便に室内壁面・天井面の模様替えを行うことができる。また、本考案の内装用パネルによれば、その製作費や取付け施工費を安価にすることができる。
【考案を実施するための最良の形態】
【００１４】
図１は本考案の一実施例である内装用パネルの構造を示す図で、図１(ａ)は平面図、図１(ｂ)は横断面図である。この内装用パネル１は、芯板材２と、その一面に重ね合わされた中敷き材３と、さらにその表面を被覆するカバークロス４等からなっている。中敷き材３は、芯板材２の一方の側（室内に向く側、本明細書では「表側」という）にあればよいが、図１(ｂ)に見られるように、中敷き材３の外周縁は接合代７となって、芯板材２の裏側面６に接するように折り返されている。
【００１５】
この接合代７は、中敷き材３の芯板材２への取付けを、芯板材２の裏側において行うために設けられている。これは、表側に取付け部があると室内壁面の美観を損なうおそれがあるためであり、また掛止部２（コ型ジョイナー）の厚みによる壁面との隙間をカバーするためである。
【００１６】
接合代７は、芯板材２の四方（４辺の方向）に設けられている必要がある。したがって、中敷き材３は、この接合代７の分だけ芯板材２より大きくなる。接合代７の幅をＷとすると、中敷き材３の短辺及び長辺の長さは、ともに芯板材２の短辺及び長辺より２Ｗだけ長くなる。
【００１７】
中敷き材３の接合代７を芯板材２の裏側面に取り付ける方法は、接着剤又は両面テープ等を用いて接合する方法であってもよい。或いは、係止部材、例えば釘、ネジ釘、ボルト・ナット等を用いて固定する方法であってもよい。係止部材を用いる場合は、円板状又は帯状の押え板で接合代７を上方から押え、その上から係止部材で押え板を固定するような方法によってもよい。
【００１８】
本実施例においては、係止部材８としてホッチキス針状の二股ピンを用い、これを接合代７の上から芯板材２に打ち込んで、芯板材２を貫通した二股ピンの先端を専用の治具で内側に折り曲げて、芯板材２の表側面に密着させるという固定方法によっている。これは、ホッチキスで用紙を綴じるのと同様の原理である。
【００１９】
カバークロス４は、専ら美観を目的とするもので、その材質は、布製又はプラスチック製化粧フィルム等のいずれもであってもよい。その色彩・模様は、壁紙やカーテン地と同様に選択すればよい。カバークロス４は、中敷き材３のほぼ全体（少なくとも表側面の全面）を被覆していればよく、その固定方法は特に限定を要しない。
【００２０】
例えば、接着剤又は両面テープ等を用いて、カバークロス４の裏面を中敷き材３の表面に全面又は局所的に貼りあわせるような方法であってもよい。また、糸又は細い針金で、局所的に縫い付けるような方法であってもよい。或いは、中敷き材３を芯板材２に固定するときに、カバークロス４を重ねておいて、その上から固定するという方法によってもよい。ただし、カバークロス４は模様替えの際に交換を要するので、交換しやすい固定方法であることが望ましい。
【００２１】
本考案において、芯板材２には、木板、合成木板、プラスチック板などを用いることができるが、軽量で安価なことから、ベニヤ板、パーティクルボード等の合成木板が特に好適である。その厚みは特に限定を要しないが、通常は５〜２０ｍｍ程度とする。
【００２２】
また、中敷き材３は、断熱と遮音を目的とするもので、クッション性があること、ある程度の厚みがあって係止部材８で止めやすいこと、防音性に優れること等の理由から、発泡プラスチックのシートを用いることが好ましい。中でも発泡ポリウレタンのシートが特に好適である。その厚みも特に限定を要しないが、通常は２０〜５０ｍｍ程度とする。
【００２３】
本考案の内装用パネル１の大きさは、正方形の場合は一辺が０．１５〜１ｍであり、長方形の場合は、短辺が０．１５〜１ｍで長辺が０．１５〜２ｍであることが好ましい。
これよりも小さなパネルでは、所定の面積を埋めるのに要するパネル枚数が過多になり、パネルの製作費や取付けの手間が大きくなって好ましくないためである。また、１ｍ×２ｍより大きなパネルでは、その重量が過大になって扱いにくくなり、居住者が自ら取付け・取外しできるという本考案の目的にそぐわないためである。
【００２４】
本考案の内装用パネルは、芯板材２の表側面５と中敷き材３との間又は中敷き材３とカバークロス４との間に、或いはその双方に、悪臭、人体に有害な物質の吸着シートを挿入しておくことができる。
この吸着シートは、例えば、シックハウス症候群の原因物質（主にアセトアルデヒド）を吸着する固体（活性炭など）の粉末を封入又は塗布したシートであってもよく、或いは吸着能を有する液体を含浸させたシートであってもよい。
【００２５】
また、かかるシートとして市販されているもの（例えば、ユニチカ社製のスーパーデキシーなど）があるのでそれを用いてもよい。なお、かかる吸着シートを用いる場合は、カバークロス４は通気性のある布製のものであることが望ましい。
【００２６】
本考案の内装用パネル１は、裏面のほぼ中央部に、図１（ｂ）に示すような掛止部材１０ａを設けたところに特徴がある。掛止部材１０ａとしては、例えばジョイナー（登録商標）を用いることができる。
【００２７】
本考案は、上記の内装用パネル１を用いたパネル内装構造を含むものである。以下、この内装構造について説明する。本考案においては、このパネルを壁面又は天井面に固定する手段として、「溝型掛止部材」を用いる。
【００２８】
図２は、この部材の溝形状を示す部分斜視図で、図２(ａ)は断面がコの字型の部材、図２(ｂ)は断面がＨ字型の部材を示している。このような形状の溝を有する溝型部材は、ジョイナー（登録商標）の商品名で市販されている。
壁面に内装用パネル１を敷き詰める場合、掛止部材１０ａと嵌合する掛止部材１０ｂを壁面に取り付ける。
【００２９】
図３（ａ）は、本考案の内装用パネル１を壁面に敷き詰めたときの断面を示したものである。壁面には、内装用パネル１の掛止部１０ａと嵌合する掛止部材１０ｂが取り付けられている。内装用パネル１の掛止部１０ａを壁面の掛止部材１０ｂに掛けることにより、内装用パネル１を壁面に敷き詰めていくことができる。
【００３０】
内装用パネル１を床から天井まで壁にびっしりと敷き詰める場合は、床、天井が内装用パネル１の端部を押さえる役割を果たすので、内装用パネル１の端部の見切り材を天井や床に設けなくてもよい。
【００３１】
一方において、内装用パネル１を床から天井まで壁に敷き詰めるのではなく、一定の高さ、例えば床から１ｍの高さまで敷き詰めるような場合は、１ｍの高さのところに、例えばアングル材１４を見切り材として設置し、床とアングル材１４とにより、内装用パネル１を挟み込むことにより、内装用パネル１の壁面への固設をより安定させることができる。
【００３２】
図３（ｂ）は、内装用パネル１を天井に敷き詰めたときの断面図を示したものである。天井全体に内装用パネル１を敷き詰める場合は、見切り材を必ずしも設ける必要はないが、例えば図３（ｂ）に示すように、敷き詰められた内装用パネル１の端部に沿ってアングル材１４を見切り材として設けてもよい。
【００３３】
図４は、本考案の実施例であるパネル内装構造を示す図で、図４(ａ)は一壁面の正面図、図４(ｂ)は図４(ａ)のＡ−Ａ矢視断面図である。壁面へのジョイナーの取付け方法は特に限定を要しないが、例えばホチキスやビス止めが考えられる。
内装用パネル１同士が接するところに、例えば図２（ｂ）に示すＨ型ジョイナーを、必要に応じて配置してもよい。
【００３４】
本実施例のようなパネル内装構造にすることにより、壁の模様替えの際に居住者は容易にパネルのみを取り外すことができる。取り外したパネルのカバークロスを交換することも居住者自らで行なうことができ、さらに新しくしたパネルを元のように取り付けることも容易である。したがって、本考案によれば、専門の内装業者の手を借りることなく、居住者のみで内装の模様替えを行うことができる。
【図面の簡単な説明】
【００３５】
【図１】本考案の一実施例である内装用パネルの構造を示す図である。
【図２】本考案に用いる溝型部材の溝形状を示す部分斜視図である。
【図３】本考案の内装用パネルを壁、天井に敷き詰めたときの断面を示した図である。
【図４】本考案の実施例であるパネル内装構造を示す図である。
【符号の説明】
【００３６】
１  内装用パネル
２  芯板材
３  中敷き材
４  カバークロス
５  表側面
６  裏側面
７  接合代
８  係止部材
９  窓
１０ａ，１０ｂ， コ型ジョイナー
１１  Ｈ型ジョイナー
１２  柱
１３  下地壁材
１４  アングル材
【図１】
0003135532.tif 000003
【図２】
0003135532.tif 000004
【図３】
0003135532.tif 000005
【図４】
0003135532.tif 000006